(57)【要約】【課題】限られたサイズにおいて多くの情報を見やすく表示することのできる携帯型表示装置を提供する。【解決手段】携帯電話（１００）では表示部（５０）に、左画面を左方向に表示し、右画面を右方向に表示する。そのため、閲覧者は、携帯電話（１００）を手に保持した状態で左側から表示部（５０）を見ると左画面が閲覧でき、右側から見ると右画面が閲覧できる。さらに、携帯電話（１００）は、表示部（５０）の向いている方向の変化を検知して表示画面を切替える。そのため、閲覧者は右画面を閲覧していた保持状態を元に戻して左側から閲覧すると、次の左画面を閲覧できる。【選択図】図７
2011059696.tif 000002
【特許請求の範囲】
【請求項１】
表示対象データに基づいて第１の画面と第２の画面とを生成する画面生成部（２１）と、
同一の表示画面に対する複数の視点にそれぞれ対応する複数の表示方向に互いに異なる画面を同時に表示する表示部（５０）とを備え、
前記表示部（５０）は、前記第１の画面と前記第２の画面とを、各々、前記複数の表示方向のうちの少なくとも２つの異なる表示方向に同時に表示する、携帯型表示装置。
【請求項２】
前記画面生成部（２１）は、前記表示対象データから前記表示部（５０）で表示可能なサイズに基づいて所定サイズのデータを切出して前記第１の画面を生成し、前記第１の画面に隣接したデータを切出して前記第２の画面を生成する、請求項１に記載の携帯型表示装置。
【請求項３】
前記画面生成部（２１）は、前記表示対象データから前記表示部（５０）で表示可能なサイズの前記各方向分のサイズに基づいて所定のサイズのデータを切出して、前記切出したデータを分割して前記第１の画面と前記第２の画面とを生成する、請求項１に記載の携帯型表示装置。
【請求項４】
前記画面生成部（２１）は、前記表示対象データから前記表示部（５０）で表示可能なサイズに基づいて所定サイズのデータを切出して前記第１の画面を生成し、前記第１の画面に対応する画面を前記第２の画面として生成する、請求項１に記載の携帯型表示装置。
【請求項５】
前記表示部（５０）に前記表示対象データの画面が表示されているときに、表示切替動作を検出する検出部（６０）と、
前記検出された表示切替動作に応じて、前記異なる方向に同時に表示されている画面の少なくとも１つの画面を切替える画面切替部（２２）とをさらに備える、請求項１に記載の携帯型表示装置。
【請求項６】
前記検出部（６０）は、前記表示部（５０）において前記表示対象データの画面が表示されているときの前記表示部（５０）の角度変化を検知することで前記表示切替動作を検出する、請求項５に記載の携帯型表示装置。
【請求項７】
前記表示部（５０）は、前記第１の画面と前記第２の画面とを各々前記異なる方向に表示すると共に、前記第１の画面および前記第２の画面と同時に第３の画面をいずれの方向にも表示する、請求項１に記載の携帯型表示装置。
【請求項８】
前記表示部（５０）は、前記第３の画面に、前記表示部（５０）における現在の表示形態を報知する内容を表示する、請求項７に記載の携帯型表示装置。
【請求項９】
前記表示部（５０）は、前記第１の画面を前記表示部（５０）から略正面に向かう方向に表示する、請求項１に記載の携帯型表示装置。
【請求項１０】
前記表示部（５０）における表示形態を、前記第１の画面と前記第２の画面とを各々前記異なる方向に表示するマルチビュー形態と、１つの画面を表示領域内のすべてにいずれの方向にも表示するシングルビュー形態とに切替える第１の表示形態切替部（４０）をさらに備える、請求項１に記載の携帯型表示装置。
【請求項１１】
前記第１の表示形態切替部（４０）は、前記表示対象データの属性と、前記表示対象データを表示するためのアプリケーションとのいずれかに応じて、前記表示部（５０）における表示形態を切替える、請求項１０に記載の携帯型表示装置。
【請求項１２】
前記表示部（５０）における表示形態を、前記第１の画面と前記第２の画面とを各々前記異なる方向に表示するマルチビュー形態と、立体表示形態とに切替える第２の表示形態切替部（４０）をさらに備える、請求項１に記載の携帯型表示装置。
【請求項１３】
表示対象データの画面を表示する表示部（５０）と、
前記表示部（５０）に前記表示対象データの画面が表示されているときに、表示切替動作を検出する検出部（６０）と、
前記検出された表示切替動作に応じて、前記表示部（５０）に表示されている画面を切替える画面切替部（２２）とを備える、携帯型表示装置。
【請求項１４】
前記検出部（６０）は、前記表示部（５０）において前記表示対象データの画面が表示されているときの前記表示部（５０）の角度変化を検知することで前記表示切替動作を検出する、請求項１３に記載の携帯型表示装置。
【請求項１５】
異なる複数の表示方向に、互いに異なる画面データを同時に表示する表示部（５０）を備え、
前記表示部（５０）は、第１の表示領域に、第１の画面データと第２の画面データとを、各々、前記複数の表示方向のうちの少なくとも２つの異なる表示方向で同時に表示すると共に、前記第１の表示領域とは異なる第２の表示領域に、１つの画面データをいずれの方向からも視認可能に表示する、携帯型表示装置。
【発明の詳細な説明】
【技術分野】
【０００１】
この発明は携帯型表示装置に関し、特に、多くの情報を見やすく表示することのできる携帯型表示装置に関する。
【背景技術】
【０００２】
携帯電話機などの液晶表示装置を備えた情報機器は、ますます小型化が進んでいる。そのため、そのような情報機器に実装できる液晶表示装置のサイズは限られている。
【０００３】
その一方、液晶表示させたい情報量は、メモリ容量の拡大や高速通信機能の普及に伴ってますます増大している。
【０００４】
従来の情報機器では、液晶表示装置で多くの情報を表示させる場合に、スクロールキーやスクロールバーなどを利用したスクロール操作を行なって１画面ずつ順送りして表示させていた。
【先行技術文献】
【特許文献】
【０００５】
【特許文献１】特開２００１−１７５６０９号公報
【特許文献２】特開２００１−２３７９３３号公報
【特許文献３】特開２００２−１０１１７２号公報
【特許文献４】特開２００１−２５７７５０号公報
【特許文献５】特開２００３−５７３５号公報
【発明の概要】
【発明が解決しようとする課題】
【０００６】
しかしながら、そのようなスクロール操作は、閲覧者が該情報を自然な速度で閲覧する際の妨げとなり、煩わしさを感じるものであるという問題がある。
【０００７】
また、地図情報や画像などの情報は、分割して１画面ずつ順送りして閲覧した場合に、全体が把握し難いといった問題がある。特に、一般的な写真画像が横長形状であるのに対して携帯電話機に実装されている液晶表示装置は縦長形状である場合が多いため、携帯電話機の液晶表示装置で写真画像を表示させる場合にはその問題が顕著に現われる。
【０００８】
そのような問題を克服するために、特許文献１〜特許文献３は、展開可能な状態で折畳まれた複数の液晶ディスプレイを備える携帯型情報端末、携帯電話機、および無線情報端末機を開示しているが、かかる携帯型情報端末、携帯電話機、および無線情報端末機では、折畳まれた複数の液晶ディスプレイを備えるために、装置自体の小型化に限界があるという問題がある。
【０００９】
また、特許文献４は、２つの表示装置を備えて、文字と画像とを別々に表示させる携帯電話を開示しているが、かかる携帯電話でも、同様に、装置自体の小型化に限界があるという問題がある。
【００１０】
さらに、特許文献５は、複数の表示部を有する携帯機器において使用中の表示部から他の表示部での機能の操作へ移行する操作を行なうことのできる携帯機器について開示しているが、かかる携帯機器では、所定のキーを一定時間以上押し下げるなどの操作を行なう必要があり、自然な動作で操作の移行を行なうことができないという問題があった。
【００１１】
本発明はこのような問題に鑑みてなされたものであって、限られたサイズにおいて多くの情報を見やすく表示することのできる携帯型表示装置を提供することを目的とする。
【課題を解決するための手段】
【００１２】
上記目的を達成するために、本発明のある局面に従うと、携帯型表示装置は、表示対象データに基づいて第１の画面と第２の画面とを生成する画面生成部と、同一の表示画面に対する複数の視点にそれぞれ対応する複数の表示方向に互いに異なる画面を同時に表示する表示部とを備え、表示部は、第１の画面と第２の画面とを、各々、複数の表示方向のうちの少なくとも２つの異なる表示方向に同時に表示する。
【００１３】
上述の画面生成部は、表示対象データから表示部で表示可能なサイズに基づいて所定サイズのデータを切出して第１の画面を生成し、第１の画面に隣接したデータを切出して第２の画面を生成することが好ましい。
【００１４】
または、上述の画面生成部は、表示対象データから表示部で表示可能なサイズの各方向分のサイズに基づいて所定のサイズのデータを切出して、切出したデータを分割して第１の画面と第２の画面とを生成することが好ましい。
【００１５】
または、上述の画面生成部は、表示対象データから表示部で表示可能なサイズに基づいて所定サイズのデータを切出して第１の画面を生成し、第１の画面に対応する画面を第２の画面として生成することが好ましい。
【００１６】
また、携帯型表示装置は、表示部に表示対象データの画面が表示されているときに、表示切替動作を検出する検出部と、検出された表示切替動作に応じて、異なる方向に同時に表示されている画面の少なくとも１つの画面を切替える画面切替部とをさらに備えることが好ましい。
【００１７】
また、表示部は、第１の画面と第２の画面とを各々異なる方向に表示すると共に、第１の画面および第２の画面と同時に第３の画面をいずれの方向にも表示することが好ましい。
【００１８】
さらに、表示部は、第３の画面に、表示部における現在の表示形態を報知する内容を表示することがより好ましい。
【００１９】
また、表示部は、第１の画面を表示部から略正面に向かう方向に表示することが好ましい。
【００２０】
また、携帯型表示装置は、表示部における表示形態を、第１の画面と第２の画面とを各々異なる方向に表示するマルチビュー形態と、１つの画面を表示領域内のすべてにいずれの方向にも表示するシングルビュー形態とに切替える第１の表示形態切替部をさらに備えることが好ましい。
【００２１】
さらに、第１の表示形態切替部は、表示対象データの属性と、表示対象データを表示するためのアプリケーションとのいずれかに応じて、表示部における表示形態を切替えることがより好ましい。
【００２２】
また、携帯型表示装置は、表示部における表示形態を、第１の画面と第２の画面とを各々異なる方向に表示するマルチビュー形態と、立体表示形態とに切替える第２の表示形態切替部をさらに備えることが好ましい。
【００２３】
本発明の他の局面に従うと、携帯型表示装置は、表示対象データの画面を表示する表示部と、表示部に表示対象データの画面が表示されているときに、表示切替動作を検出する検出部と、検出された表示切替動作に応じて、表示部に表示されている画面を切替える画面切替部とを備える。
【００２４】
また、上述の検出部は、表示部において表示対象データの画面が表示されているときの表示部の角度変化を検知することで表示切替動作を検出することが好ましい。
【００２５】
本発明のさらに他の局面に従うと、携帯型表示装置は、異なる複数の表示方向に、互いに異なる画面データを同時に表示する表示部を備え、表示部は、第１の表示領域に、第１の画面データと第２の画面データとを、各々、複数の表示方向のうちの少なくとも２つの異なる表示方向で同時に表示すると共に、第１の表示領域とは異なる第２の表示領域に、１つの画面データをいずれの方向からも視認可能に表示する。
【図面の簡単な説明】
【００２６】
【図１】実施の形態にかかる携帯電話の構成の具体例を示すブロック図である。
【図２】携帯電話の表示部の構成の具体例を示す図である。
【図３】データ処理部の構成と、携帯電話におけるデータ処理の流れとについて説明する図である。
【図４】分割・切出制御部におけるデータの分割および切出し処理について説明する図である。
【図５】分割・切出制御部におけるデータの分割および切出し処理について説明する図である。
【図６】実施の形態にかかる携帯電話での画面表示処理を示すフローチャートである。
【図７】携帯電話の第１状態の具体例を示す図である。
【図８】携帯電話の第２状態の具体例を示す図である。
【図９】第１状態および第２状態における表示画面と、第１状態と第２状態との切替動作による表示の変化との第１の具体例を説明する図である。
【図１０】第１状態および第２状態における表示画面と、第１状態と第２状態との切替動作による表示の変化との第２の具体例を説明する図である。
【図１１】逆スクロール可能な場合の、第１状態および第２状態における表示画面と、第１状態と第２状態との切替動作による表示の変化との具体例を説明する図である。
【図１２】同一画面で異なる形態の表示を行なう具体例を示す図である。
【図１３】表示部がさらに通常方向の表示領域を含む場合のデータ表示部およびスリット板の構成の具体例を示す図である。
【図１４】携帯電話において３Ｄ表示を行なう際の表示部の制御を説明する図である。
【図１５】表示部の構成の他の具体例を示す図である。
【図１６】同一画面で異なる形態の表示を行なう具体例を示す図である。
【発明を実施するための形態】
【００２７】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２８】
本実施の形態においては、本発明にかかる携帯型表示装置を携帯電話機で実現する場合について説明するが、言うまでもなく本発明にかかる携帯型表示装置は携帯電話機に限定されず、ＰＤＡ（Personal  Digital  Assistants）などの他の装置であってもよい。
【００２９】
図１は、本実施の形態にかかる携帯電話１００の構成の具体例を示すブロック図である。図１を参照して、実施の形態にかかる携帯電話１００はＣＰＵ（Central  Processing  Unit）１を含み、携帯電話１００全体がＣＰＵ１において制御される。ＣＰＵ１で実行されるプログラムは、記憶部４を構成するＲＯＭ（Read  Only  Memory）に記憶される。また、記憶部４を構成するＲＡＭ（Random  Access  Memory）は、ＣＰＵ１がプログラムを実行する際の作業領域となる。
【００３０】
また、携帯電話１００は、通信部３において、基地局を介して他の電話機と通話を行なったり、電子メールの送受信を行なったり、インターネットを介して情報の送受信を行なったりする。本実施の形態においては、通信部３において取得したデータを表示部５０で表示するものとするが、言うまでもなく、本携帯電話１００がテキストデータや画像データなどのデータ作成機能を備える場合、携帯電話１００において作成されたデータを表示部５０で表示してもよく、その場合も同様の処理が行なわれるものとする。
【００３１】
また、携帯電話１００は、数字キーやスクロールキーなどの操作部２と、画面表示を行なう表示部５０と、表示部５０における表示を制御する表示制御部４０と、通信部３で取得した表示対象のデータを記憶するデータ記憶部１０と、データ記憶部１０に記憶されるデータに対して表示部５０に表示させるための処理を行なうデータ処理部２０と、表示部５０に表示させるための右画面データメモリ３１および左画面データメモリ３２を含むメモリである画面データメモリ３０と、表示部５０の向いている角度の変化を検知するセンサ６０とを含み、ＣＰＵ１、通信部３、および記憶部４と、バス５を介して接続される。
【００３２】
さらに図２に、表示部５０の構成の具体例を示す。図２を参照して、表示部５０は、画面データを表示する液晶ディスプレイであるデータ表示部５１と、データ表示部５１よりも距離ａ分前方、つまり閲覧者に近い側に備えられる液晶ディスプレイであるスリット板５２と、データ表示部５１の後方、つまり閲覧者に遠い側に備えられる照明装置であるバックライト５３とを含む。
【００３３】
データ表示部５１は、表示制御部４０に制御されることで、図２に示されるように、縦長の短冊状の領域である、右画面を表示する幅ｄ１の複数の右画面表示領域５１１と、左画面を表示する幅ｄ２の複数の左画面表示領域５１２とが、左から順に領域５１１，５１２の順番に交互に並んで構成される。
【００３４】
また、スリット板５２は、表示制御部４０に制御されることで、背後のデータ表示部５１を前方から透かして見ることのできない閉口部５２１と、背後のデータ表示部５１を前方から透かして見ることのできる幅ｃの開口部５２２とを含んで構成される。閉口部５２１と開口部５２２とは、液晶ディスプレイであるスリット板５２を表示制御部４０が制御することで、閉口部５２１が暗転され、開口部５２２が可透となって構成される。
【００３５】
スリット板５２に閉口部５２１と開口部５２２とが構成され、データ表示部５１に右画面表示領域５１１と左画面表示領域５１２とが構成されることで、右画面表示領域５１１に表示される右画面は、開口部５２２を介して該表示部５０に対して右側に位置する閲覧者に向かう方向に表示され、表示部５０に対して右側に位置する閲覧者から視認される。また、左画面表示領域５１２に表示される左画面は、開口部５２２を介して該表示部５０に対して左側に位置する閲覧者に向かう方向に表示され、表示部５０に対して左側に位置する閲覧者から視認される。つまり、閲覧者は、表示部５０に対して右側に位置して該表示部５０を閲覧する場合と、左側に位置して該表示部５０を閲覧する場合とで、右画面および左画面の異なる種類の画面を閲覧可能であり、携帯電話１００は、左方向に第１の画面、右方向に第２の画面を同時に表示するいわゆるデュアルビュー表示を実現する。なお、データ表示部５１とスリット板５２との距離ａ、右画面表示領域５１１の幅ｄ１、および左画面表示領域５１２の幅ｄ２は、閲覧者が通常の携帯電話１００の用い方をした場合の閲覧者から表示部５０までの距離ｃに応じて決定される最適の値であり、ここでは、具体的には限定されない。
【００３６】
次に、図１に示されるデータ処理部２０の構成と、携帯電話１００におけるデータ処理の流れとについて、図３を用いて説明する。
【００３７】
図３を参照して、データ処理部２０がＣＰＵ１から制御信号を受取って動作することで、データ処理部２０の機能には、分割・切出制御部２１と、メモリ転送制御部２２とが含まれる。
【００３８】
分割・切出制御部２１は、データ記憶部１０に記憶されるデータを読出し、該データを表示部５０に表示可能なサイズに基づいて分割する。または、該データから表示部５０に表示可能なサイズのデータを切出す。そして、分割または切出されたデータを画面データとしてメモリ転送制御部２２に渡す。
【００３９】
センサ６０は表示部５０の近傍に配備されて、該表示部５０において画面表示が行なわれているときの表示部５０の右回りまたは左回りの所定の値以上の角加速度を検知すると、これをセンサ信号としてメモリ転送制御部２２に対して出力する。このことで、表示部５０の向いている角度の変化を検知する。
【００４０】
メモリ転送制御部２２は、センサ６０からのセンサ信号、および必要に応じて図示されない逆スクロールスイッチ（ＳＷ）からのスイッチ信号に基づいて、分割・切出制御部２１から渡された画面データのうち、右画面データを画面データメモリ３０の右画面データメモリ３１に、左画面データを左画面データメモリ３２に展開する。
【００４１】
表示制御部４０は、表示部５０を図２に示された構成となるように制御し、右画面データメモリ３１に展開された右画面データを右画面表示領域５１１に、左画面データメモリ３２に展開された左画面データを左画面表示領域５１２に表示させる。
【００４２】
さらに、分割・切出制御部２１におけるデータの分割および切出し処理について、図４および図５を用いて説明する。
【００４３】
図４を参照して、データ記憶部１０に記憶される表示対象のデータがメールデータなどのテキストデータである場合、分割・切出制御部２１は、データ記憶部１０からテキストデータを読出し、該テキストデータの本文の先頭から順に表示部５０で表示可能なサイズごとに分割して、ページ１，ページ２，…ページＮを切出す。この分割・切出方法は、表示対象のデータが、テキストデータのような、任意の位置で分割して個々のデータを順に切出して表示してもその内容が損なわれない性格、つまり配置が流動的なデータである場合に好適である。
【００４４】
また、図５を参照して、データ記憶部１０に記憶される表示対象のデータが写真やイラストなどの画像データを含むデータである場合、分割・切出制御部２１は、データ記憶部１０からデータを読出し、該データの先頭より順に表示部５０の右画面および左画面の２面で表示可能なサイズ、つまり表示部５０で表示可能なサイズの２倍分のデータを切出して画像１，画像２，…画像Ｎとし、さらに切出した各画像を右画面データ用の画像右データと左画面データ用の画像左データとに分割する。この分割・切出方法は、表示対象のデータが、画像データのように、任意の位置で分割した場合であっても、各データを隣合わせて配置しないとその内容が損なわれてしまう性格、つまり配置が固定的なデータである場合に好適である。
【００４５】
次に、図６のフローチャートを用いて、本実施の形態にかかる携帯電話１００での画面表示処理を説明する。図６のフローチャートに示される処理は、携帯電話１００のＣＰＵ１が記憶部４のＲＯＭに記憶されるプログラムを読出してＲＡＭ上で実行し、図１に示される各部を制御して図３に示される各部を機能させることで実現される。
【００４６】
図６を参照して、始めに、ステップＳ１０１で、データ処理部２０において、データ記憶部１０に記憶される表示対象のデータが読み出される。そして、ステップＳ１０３で分割・切出制御部２１において該データの分割・切出処理が実行される。ステップＳ１０３での分割・切出処理については、図４および図５を用いて先に述べたとおりである。
【００４７】
次に、ステップＳ１０５において、メモリ転送制御部２２で、ステップＳ１０３の分割・切出処理で得られた右画面データおよび左画面データのうち表示する右画面データおよび左画面データが、各々右画面データメモリ３１および左画面データメモリ３２に展開される。ステップＳ１０５で画面データメモリに展開された各画面データは、ステップＳ１０７において、表示制御部４０で、各々表示部５０の右画面表示領域５１１および左画面表示領域５１２に表示される。
【００４８】
ステップＳ１０９において、センサ６０で表示部５０の向いている角度の変化が検知され（Ｓ１０９でＹＥＳ）、まだ表示部５０に表示されていない画面データがある場合には（Ｓ１１１でＹＥＳ）、処理がステップＳ１０５に戻り、ステップＳ１０５において、次に表示する右画面データおよび左画面データが各々右画面データメモリ３１および左画面データメモリ３２に展開され、ステップＳ１０７において各々表示部５０の右画面表示領域５１１および左画面表示領域５１２に表示される。
【００４９】
上述のステップＳ１０５〜Ｓ１０９は、ステップＳ１０３の分割・切出処理で得られたすべての画面データが表示部５０に表示されるまで繰返され、すべての画面データが表示されたら（Ｓ１１１でＮＯ）、画面表示処理を終了する。
【００５０】
以上が、本実施の形態にかかる携帯電話１００での画面表示処理である。
上述の画面表示処理が実行されることで、携帯電話１００では具体的に以下のような画面表示が行なわれる。
【００５１】
図７および図８に、携帯電話１００の表示部５０と閲覧者の視線との関係によって定められる、携帯電話１００の第１状態と第２状態とを示す。すなわち、具体的に、本実施の形態において、表示部５０に対して閲覧者の視点を左側とし、閲覧者が表示部５０を右に向けて該表示部５０の左側から視認する向きに携帯電話１００の表示部５０を向かせた、図７に示される状態を第１状態とする。また、表示部５０に対して閲覧者の視点を右側とし、閲覧者が表示部５０を左に向けて該表示部５０の右側から視認する向きに携帯電話１００の表示部５０を向かせた、図８に示される状態を第２状態とする。
【００５２】
図７および図８に示されるように、本携帯電話１００は表示部５０において、左側に位置する閲覧者の方向に向かって第１の画面である左画面と、右側に位置する閲覧者の方向に向かって第２の画面である右画面とを同時に表示する。そのため、第１状態では閲覧者は第１の画面を視認し、第２状態で第２の画面を視認する。
【００５３】
この第１状態と第２状態とは、該携帯電話１００を保持した閲覧者の保持した手をひねる動作によって切替わり、センサ６０は表示部５０において画面表示が行なわれているときの表示部５０の右回りまたは左回りの所定の値以上の角加速度を検知することで、その切替動作の発生を検知する。なお、本実施の形態においては、センサ６０における角加速度の検知方法については限定されず、従来より一般的に用いられているセンシング技術を用いて実現すれば足りる。また、切替動作の発生の検知はセンサ６０を用いて角加速度の変化を検出する方法に限定されず、その他の方法を用いてもよい。
【００５４】
具体的には、たとえば、センサ６０として上記の切替動作の方向についての角度を検知する角度センサを用いて表示部５０において画面表示が行なわれているときの表示部５０の角度変化を検知したり、角速度を検知する角速度センサを用いて表示部５０において画面表示が行なわれているときの所定値以上の表示部５０の角加速度を検知したりすることで、上記の切替動作の発生を検知してもよい。
【００５５】
またたとえば、センサ６０として携帯電話１００の傾きを検出する水平気泡管などの傾きセンサを用いてもよい。閲覧者が携帯電話１００の第１状態と第２状態とを切替える際、その水平に対する傾きが変化する場合が多い。そこで、センサ６０は、表示部５０において画面表示が行なわれているときに、その水平に対する傾きの変化を検知し、その傾きが所定値以上の傾きであることによって閲覧者の手のひねり動作を検出して、上記の切替動作の発生を検知してもよい。
【００５６】
またたとえば、センサ６０として携帯電話１００の左右の端に備える圧力センサを用いてもよい。閲覧者が携帯電話１００の第１状態から第２状態に状態を切替える際、図７に示される向きにおいて表示部５０に対して右側に添えられた指の圧力の方が、左側に添えられた指の圧力よりも大きいので、その圧力差を検知することで、第１状態から第２状態に状態を切替える動作がなされたことを検出できる。また、逆も同様である。そこで、センサ６０は、表示部５０において画面表示が行なわれているときに、その左右の圧力センサで検知された圧力を検出し、その圧力の差が所定値以上であることによって閲覧者の手のひねり動作を検出して、上記の切替動作の発生を検知してもよい。
【００５７】
図９および図１０を用いて、第１状態および第２状態における表示画面と、第１状態と第２状態との切替動作による表示の変化との、第１の具体例と第２の具体例とを説明する。なお、本具体例においては、初期状態を第１状態として、順次第１状態と第２状態とを繰返すものとする。また、表示するデータは、第１具体例においては、図４を用いて説明されたテキストデータのような配置が流動的なデータであるものとし、第２の具体例においては、図５を用いて説明された画像データのような配置が固定的なデータであるものとする。
【００５８】
図９を参照して、第１の具体例において、データ記憶部１０にあるデータを表示部５０に表示する初期状態では、左画面データメモリ３２および右画面データメモリ３１に、各々ページ１およびページ２の画面データが展開されて、表示部５０の左画面表示領域５１２にページ１が左向きに、右画面表示領域５１１にページ２が右向きに表示されている。そして、初期状態である第１状態では、閲覧者は、左画面表示領域５１２に表示されているページ１を該表示部５０に対して左側から閲覧している。なお、図９において、その状態で閲覧者が閲覧している画面の画面データが太線で示されている。
【００５９】
次に、初期状態において切替動作が検知されて第２状態に移行すると、メモリ転送制御部２２は、左画面データメモリ３２に次の画面データであるページ３の画面データを転送する。その結果、表示制御部４０は、左画面表示領域５１２にページ３を左向きに、右画面表示領域５１１にページ２を右向きに表示させる。そして、閲覧者は、右画面表示領域５１１に表示されているページ２を該表示部５０に対して右側から閲覧している。
【００６０】
次に、第２状態において切替動作が検知されて第１状態に移行すると、メモリ転送制御部２２は、右画面データメモリ３１に次の画面データであるページ４の画面データを転送する。その結果、表示制御部４０は、左画面表示領域５１２にページ３を左向きに、右画面表示領域５１１にページ４を右向きに表示させる。そして、閲覧者は、左画面表示領域５１２に表示されているページ３を該表示部５０に対して左側から閲覧している。
【００６１】
以降、順次上述の処理が繰返されて、第１の具体例にかかる携帯電話１００では、閲覧者の切替動作に応じて順次右画面データメモリ３１および左画面データメモリ３２が書換えられ、切替動作ごとに順次表示部５０における表示が切替わる。このようにすることで、閲覧者は、あたかも本のページを繰るような自然な動作でデータをスクロールして１つの画面で多くの情報を得ることができる。また、携帯電話１００は、小型化を実現しつつその表示部５０に多くの情報を提示することが可能になる。
【００６２】
次に、図１０を参照して、第２の具体例において、データ記憶部１０にあるデータを表示部５０に表示する初期状態は図９に示された場合と同様であり、ここでは説明を繰返さない。
【００６３】
また、初期状態において切替動作が検知されて第２状態に移行した場合でも、第２の具体例では、メモリ転送制御部２２は画面データメモリ３０の書換えを行なわず、初期状態である第１の状態と同様のメモリ状態を保つ。そして、閲覧者は、右画面表示領域５１１に表示されている画像１の右側の画面を該表示部５０に対して右側から閲覧している。
【００６４】
次に、第２状態において切替動作が検知されて第１状態に移行すると、メモリ転送制御部２２は、左画面データメモリ３２および右画面データメモリ３１に次の画面データである画像２左データおよび画像２右データを転送する。その結果、表示制御部４０は、左画面表示領域５１２に画像２の左側画面を左向きに、右画面表示領域５１１に画像２の右側画面を右向きに表示させる。そして、閲覧者は、左画面表示領域５１２に表示されている画像２の左側画面を該表示部５０に対して左側から閲覧している。
【００６５】
同様に、第１状態において切替動作が検知されて第２状態に移行した場合でも、第２の具体例では、メモリ転送制御部２２は画面データメモリ３０の書換えを行なわず、第１の状態と同様のメモリ状態を保つ。そして、閲覧者は、右画面表示領域５１１に表示されている画像２の右側画面を該表示部５０に対して右側から閲覧している。また、携帯電話１００は、小型化を実現しつつその表示部５０に多くの情報を提示することが可能になる。
【００６６】
以降、順次上述の処理が繰返されて、第２の具体例にかかる携帯電話１００では、閲覧者の第２状態から第１状態への切替動作に応じて順次右画面データメモリ３１および左画面データメモリ３２が書換えられ、該切替動作ごとに順次表示部５０における表示が切替わる。このようにすることで、閲覧者は、絵画を傾けながら見渡すような自然な動作でデータをスクロールして１つの画面で多くの情報を得ることができる。
【００６７】
なお、ここで、図３を用いて説明された逆スクロールスイッチを用いた切替動作について説明する。上述のように、図７および図８に示される第１状態および第２状態の切替動作は、該携帯電話１００を保持した閲覧者が保持した手をひねる動作で行なわれるものであるが、次のデータを閲覧するのではなく、その直前に閲覧した画面を再度表示させたい、いわゆる逆スクロールを行なう際には、逆スクロールスイッチを押下しながら手をひねる動作を行なう。そのため、逆スクロールスイッチは、図７および図８に示されるような状態で閲覧者が携帯電話１００を保持して表示部５０を閲覧しているときに、そのままの保持状態で押下可能な位置および形状であることが好ましい。また、逆スクロールが実現されるために、画面データメモリ３０には、図１には図示されないキャッシュ３３が含まれ、直前に表示された画面データがキャッシュ３３に保持される。
【００６８】
メモリ転送制御部２２は、切替動作の発生を示すセンサ６０からのセンサ信号と共に逆スクロールスイッチからのスイッチ信号を受取ると、キャッシュ３３に保持される画面データを表示させる領域に対応したデータメモリに展開する。
【００６９】
図１１を用いて、逆スクロール可能な場合の、第１状態および第２状態における表示画面と、第１状態と第２状態との切替動作による表示の変化との具体例を説明する。なお、本具体例においては、表示するデータは、第１具体例においては、図４を用いて説明されたテキストデータのような配置が流動的なデータであるものとして説明するが、図５を用いて説明された画像データのような配置が固定的なデータであるものであっても同様であるため、後者の説明は繰返さない。
【００７０】
図１１を参照して、本具体例において、データ記憶部１０にあるデータを表示部５０に表示する初期状態は図９に示された場合と同様であり、ここでは説明を繰返さない。
【００７１】
次に、初期状態において切替動作が検知されて第２状態に移行すると、メモリ転送制御部２２は、左画面データメモリ３２に次の画面データであるページ３の画面データを転送する。さらに、直前に左画面データメモリ３２に展開されていたページ１の画面データをキャッシュ３３に移動させる。その結果、表示制御部４０は、左画面表示領域５１２にページ３を左向きに、右画面表示領域５１１にページ２を右向きに表示させる。そして、閲覧者は、右画面表示領域５１１に表示されているページ２を該表示部５０に対して右側から閲覧している。
【００７２】
次に、第２状態において切替動作が検知されて第１状態に移行すると、メモリ転送制御部２２は、右画面データメモリ３１に次の画面データであるページ４の画面データを転送する。さらに、直前に右画面データメモリ３１に展開されていたページ２の画面データをキャッシュ３３に移動させる。その結果、表示制御部４０は、左画面表示領域５１２にページ３を左向きに、右画面表示領域５１１にページ４を右向きに表示させる。そして、閲覧者は、左画面表示領域５１２に表示されているページ３を該表示部５０に対して左側から閲覧している。
【００７３】
ここで、第１状態において逆スクロールスイッチが押下された切替動作、つまり逆スクロール動作が検知されると、メモリ転送制御部２２は、キャッシュ３３に保持されてたページ２の画面データを右画面データメモリ３１に移動させ、展開されていたページ４の画面データをページ２の画面データに書換える。その結果、表示制御部４０は、右画面表示領域５１１にページ２を再度右向きに表示させる。そして、閲覧者は、左画面表示領域５１２に表示されているページ３を該表示部５０に対して左側から閲覧した後に、右画面表示領域５１１に表示されたページ２を該表示部５０に対して右側から閲覧する。
【００７４】
このような処理がなされて、本具体例にかかる携帯電話１００では、直前に表示した画面データをキャッシュに順次保持して、逆スクロールスイッチが押下された切替動作、逆スクロール動作に応じて、直前に表示された画面を再度表示する。このようにすることで、閲覧者は、あたかも本のページを戻して前のページを見るような自然な動作でデータを逆スクロールして以前に表示された情報を再度得ることができる。
【００７５】
なお、本具体例においては、キャッシュ３３に１つ直前に表示された画面データのみを保持する例が示されたが、言うまでもなく設計段階において画面データメモリ３０に複数のキャッシュを用意することで任意の範囲まで以前にさかのぼって表示された画面データを保持することができ、上記逆スクロール動作を繰返すことで、同様の処理を行なって順次以前の画面データを表示させることができる。
【００７６】
本実施の形態にかかる携帯電話１００では、液晶の視野角内のすべての方向に対して同一の画面を表示する通常の表示形態であるいわゆるシングルビュー表示形態と、上述のデュアルビュー表示形態とを切替えて実行する。その表示形態の切替えは、閲覧者の指示によって行なわれてもよいし、表示するデータの種類やサイズなどの属性に応じて自動的に行なわれてもよいし、データを表示するアプリケーションに応じて自動的に行なわれてもよい。たとえば、サイズの大きなメールを表示する際にはシングルビュー表示形態から自動的にデュアルビュー表示形態に切替わってもよいし、メールアプリケーション実行時には自動的にシングルビュー表示形態からデュアルビュー表示形態に切替わってもよい。
【００７７】
なお、携帯電話１００で上述のデュアルビュー表示が行なわれている場合には、正面から表示が見難い場合がある。たとえば、上述のようにシングルビュー表示形態からデュアルビュー表示形態へ自動的に切替わった場合など、閲覧者がその切替に気付かなかったときには、その表示が見難い場合がある。そこで、閲覧者に「デュアルビュー表示実行中」などの現在の表示形態を報知するために、図１２に示されるように、携帯電話１００においてデュアルビュー表示実行中に、該デュアルビュー表示内にシングルビュー表示領域を設けて、その領域に現在の表示形態を報知するアイコンやテキストデータを表示することが好ましい。
【００７８】
この場合、図１３に示されるように、表示制御部４０は、データ表示部５１に、デュアルビュー表示用の右画面表示領域５１１および左画面表示領域５１２に加えて、シングルビュー表示用の表示領域である領域５１３を構成するよう制御する。スリット板５２には、表示制御部４０により、データ表示部５１の領域５１１，５１２に該当する領域に、閉口部５２１と開口部５２２とを図１３に示されるように交互に構成できるように、透明電極（図示せず）が配置されている。さらに、スリット板５２は、データ表示部５１の領域５１３に該当する領域全体については、常に開口状態となって開口部５２３が構成されるように、上記透明電極が設けられていない構造となっている。
【００７９】
また、同様の構成で、表示部５０に、立体物を左右各々から見た画像を表わす一組の画面を同時にデュアルビュー表示する場合にも、全方向から視認される画面をシングルビュー表示してもよい。たとえば、立体物の画像を表わす画面がデュアルビュー表示され、同時に、該立体物を説明する説明文を表示する画面がシングルビュー表示されてもよい。
【００８０】
このように、表示部５０に、デュアルビュー表示される一組の画面と共に全方向から視認される画面をシングルビュー表示することで、シングルビュー表示される画面の解像度をデュアルビュー表示される画面の解像度の２倍にすることができ、より細かい文字を表示することが可能になる。また、各方向に表示される画面において表わされるよりも、より高解像度で見やすく表示することが可能になる。そのため、説明文などの文字を表示するのに好適である。また、細部を高解像度で表示することが可能であるため、シングルビュー表示される内容は、説明文の他、一組の画面のうちの一部を表示するようにしてもよい。
【００８１】
さらに、以降に説明するような、携帯電話１００において、表示部５０に右目画面用データと左目画面用データとを同時に表示して立体（３Ｄ）表示を行なうときであっても、図１６に示されるように、同様に、左右の目に共通の画面として立体表示されない共通画面が表示されてもよい。この場合の表示部５０の構成、および表示部５０の制御については、上に図１３を用いて説明された構成および制御と同様であり、３Ｄ表示の実現については、後に説明する。
【００８２】
このように、表示部５０に、右目画面用データおよび左目画面用データと共に左右の目に共通の画面を表示することで、共通画面の解像度を高解像度にすることができ、より細かい文字を表示することが可能になる。また、両眼視可能に表示されるため、人によっては視認しやすい。そのため、説明文などの文字を表示するのに好適である。
【００８３】
また、携帯電話１００において、上記のデュアルビュー表示と、閲覧者の右目で視認される画像と左目から視認される画像との視差を利用した立体（３Ｄ）表示とを切替えて行なってもよい。
【００８４】
図１４は、携帯電話１００において３Ｄ表示を行なう際の表示部５０の制御を説明する図である。図１４を参照して、３Ｄ表示を行なう際、表示制御部４０に制御されることによって、表示部５０のデータ表示部５１には、右目から視認される画像を表わす画面のデータである右目画面データを表示する右目画面表示領域５１４と、左目から視認される画像を表わす画面のデータである左目画面データを表示する左目画面表示領域５１５とが構成される。
【００８５】
スリット板５２には、表示制御部４０の制御により閉口部５２１と開口部５２２とが構成されるように透明電極（図示せず）が配置されている。そのため、開口部５２２を介して右目画面表示領域５１４に表示される右目画面データは閲覧者の右目に到達し、開口部５２２を介して左目画面表示領域５１５に表示される左目画面データは閲覧者の左目に到達する。このことによって、閲覧者は、表示部５０に表示される画面を立体視することができる。
【００８６】
さらに、この場合には、携帯電話１００の表示画面データメモリ３０に、図示されない右目画面用メモリと左目画面用メモリとが含まれ、３Ｄ表示が実行される際に、上記の右目画面データと左目画面データとが展開される。そして、表示制御部４０が表示部５０のデータ表示部５１とスリット板５２とを、図２に示す構成と図９に示す構成とするように切替えて表示部５０を制御することで、上記デュアルビュー表示と３Ｄ表示とが切替えて実現される。
【００８７】
なお、上述の実施の形態において携帯電話１００は、デュアルビュー表示として左方向に第１の画面の表示と、右方向に第２の画面の表示とを行なうものとしたが、第１画面および第２画面の表示の向きは左方向と右方向に限定されず、たとえば、正面方向（または略正面方向）と左右両方向との２種類の方向であってもよい。
【００８８】
具体的に、図１５に表示部５０の構成の他の具体例を示す。図１５を参照して、この場合、表示部５０のデータ表示部５１には、右画面表示領域５１１に替えて左右画面表示領域５１６と、左画面表示領域５１２に替えて正面画面表示領域５１７とが交互に並んで構成される。スリット板５２には、同様に閉口部５２１と開口部５２２とが構成され、この場合、正面画面表示領域５１７に表示される正面画面は、開口部５２２を介して該表示部５０の正面（または略正面）に位置する閲覧者に向かう方向に表示され、表示部５０の正面に位置する閲覧者から視認される。また、左右画面表示領域５１６に表示される左右画面は、開口部５２２を介して該表示部５０に対して左側および右側のいずれのにも位置する閲覧者に向かう方向に表示され、表示部５０に対して左側および右側のいずれに位置する閲覧者からも視認される。
【００８９】
携帯電話１００をこのような構成とすることでも、上述と同様の処理を実行することで、閲覧者はスクロールキーによる操作を行なうことなく第１の画面と第２の画面とを切替えて閲覧可能であって、多くの情報を得ることができる。また、携帯電話１００は、小型化を実現しつつその表示部５０に多くの情報を提示することが可能になる。
【００９０】
本携帯電話１００でこのような表示がなされることで、次のような使い方を行なうことができる。
【００９１】
たとえば、長いメールを閲覧する際に、その１ページ目を左方向に表示させ、２ページ目を右方向に表示させ、順次表示を入替えていくことで、スクロールキーでの操作を行なう必要なく、本をめくるように順にメールを閲覧できる。
【００９２】
またたとえば、受信メールに対する返信メールを作成する際に、左方向に返信メール作成画面を表示させ、右方向に受信メールを表示させることもできる。これは、データ処理部２０が、受信メールと返信メール作成画面データとを各々処理して、各々の画面データを右画面データメモリ３１および左画面データメモリ３２に展開することで実現される。このようにすることで、受信メールを見ながら返信メールを作成することができて便利である。
【００９３】
またたとえば、日本語画面を左方向に表示させ、英語画面を右方向に表示させてバイリンガル表示を行なうこともできる。これも、データ処理部２０が、日本語画面データと英語画面データとを各々処理して、各々の画面データを右画面データメモリ３１および左画面データメモリ３２に展開することで実現される。このようにすることで、たとえば語学学習などにも有効に用いられる。さらにこのとき、携帯電話１００が翻訳機能も備える場合、予め英語（または日本語）画面データを記憶しておく必要がなく、左方向に日本語表示中に上述の切替動作がなされたことを検知すると、該翻訳機能で、現在左方向に表示中の画面の英訳を実行して英語画面データを生成し、該データを右方向に表示させることもできる。もちろん、その逆も同様である。このようにすることで、さらに語学学習などにその機能を発揮し得る。
【００９４】
なお、上述の実施の形態において、携帯電話１００は、右方向と左方向との２方向にデュアルビュー表示を行なうよう構成されるものとしたが、表示方向は２方向に限定されず、２以上のＮ方向に表示する、いわゆるマルチビュー表示を行なうよう構成されてもよい。すなわち、画面データメモリ３０は、２以上のＮ個の画面データメモリを含んで構成されて、データ処理部２０は、分割・切出処理を実行して生成した画面データを各々の画面データメモリに展開するよう構成されていてもよい。
【００９５】
また、上述の実施の形態においては、携帯電話１００の表示部５０が横方向の複数の方向に対して表示を行なう場合を説明したが、上述の方向は横方向に限定されず、たとえば、上述の説明をまったく９０度言い換えて、該方向を縦方向としてもよいし、その他の方向としてもよい。
【００９６】
また、上述の実施の形態においては、携帯電話１００は、デュアルビュー表示形態において表示部５０の向いている角度の変化の変化による切替動作で表示される画面を切替えるものとしたが、いうまでもなく、この画面の切替方法は、シングルビュー表示形態において適用されてもよい。すなわち、携帯電話１００は、表示部５０に第１の画面を表示している状態において上記の切替動作が検出されると、表示部５０の表示を第２の画面に切替える処理を行なってもよい。
【００９７】
さらに、上述の携帯電話１００において実行される表示方法を、プログラムとして提供することもできる。このようなプログラムは、コンピュータに付属するフレキシブルディスク、ＣＤ−ＲＯＭ（Compact  Disc-Read  Only  Memory）、ＲＯＭ、ＲＡＭ、およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９８】
提供されるプログラム製品は、ハードディスクなどのプログラム格納部にインストールされて実行される。なお、プログラム製品は、プログラム自体と、プログラムが記録された記録媒体とを含む。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１００】
本発明にかかる携帯型表示装置は、同時に、異なる方向に対して各々異なる画面を表示可能として、１度に多くの情報を表示可能な携帯型表示装置において有利に利用され得るものである。
【符号の説明】
【０１０１】
１  ＣＰＵ、２  操作部、３  通信部、４  記憶部、５  バス、１０  データ記憶部、２０  データ処理部、２１  分割・切出制御部、２２  メモリ転送制御部、３０  画面データメモリ、３１  右画面データメモリ、３２  左画面データメモリ、４０  表示制御部、５０  表示部、５１  データ表示部、５２  スリット板、５３  バックライト、６０  センサ、５１１〜５１７  データ表示部上の領域、５２１  閉口部、５２２，５２３  開口部。
【図１】
2011059696.tif 000003
【図２】
2011059696.tif 000004
【図３】
2011059696.tif 000005
【図４】
2011059696.tif 000006
【図５】
2011059696.tif 000007
【図６】
2011059696.tif 000008
【図７】
2011059696.tif 000009
【図８】
2011059696.tif 000010
【図９】
2011059696.tif 000011
【図１０】
2011059696.tif 000012
【図１１】
2011059696.tif 000013
【図１２】
2011059696.tif 000014
【図１３】
2011059696.tif 000015
【図１４】
2011059696.tif 000016
【図１５】
2011059696.tif 000017
【図１６】
2011059696.tif 000018
【手続補正書】
【提出日】平成22年10月21日(2010.10.21)
【手続補正２】
【補正対象書類名】明細書
【補正対象項目名】０００１
【補正方法】変更
【補正の内容】
【０００１】
この発明は携帯型表示装置および携帯型表示装置の制御方法に関し、特に、多くの情報を見やすく表示することのできる携帯型表示装置および携帯型表示装置の制御方法に関する。
【手続補正３】
【補正対象書類名】明細書
【補正対象項目名】００１１
【補正方法】変更
【補正の内容】
【００１１】
本発明はこのような問題に鑑みてなされたものであって、限られたサイズにおいて多くの情報を見やすく表示することのできる携帯型表示装置および該携帯型表示装置の制御方法を提供することを目的とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
上記目的を達成するために、本発明のある局面に従うと、携帯型表示装置は、同一の表示領域に、第１の表示方向と第２の表示方向とに、互いに異なる画面を同時に表示可能な表示部と、表示部での画面の表示を制御するための表示制御部とを備え、表示制御部は、第１の画面を前記表示部の表示領域に前記第１の表示方向に表示させ、第２の画面を第１の画面を表示した表示領域と同一の表示領域に第２の表示方向に第１の画面と同時に表示させ、第３の画面を第１の画面および第２の画面を表示した表示領域とは異なる表示領域に第１の表示方向および第２の表示方向のいずれからも視認可能に、第１の画面および第２の画面と同時に表示させる。
好ましくは、携帯型表示装置は、表示部における表示形態を、第１の画面を第１の表示方向に、第２の画面を第２の表示方向に、第３の画面を第１の表示方向および第２の表示方向のいずれからも視認可能に表示する表示形態と、１つの画面を表示領域内のすべてにいずれの方向にも表示する表示形態とに切替える第１の表示形態切替部をさらに備える。
より好ましくは、第１の表示形態切替部は、表示対象データの属性と、表示対象データを表示するためのアプリケーションとのいずれかに応じて、表示部における表示形態を切替える。
好ましくは、表示制御部は、第３の画面に、表示部における現在の表示形態を報知する内容を表示させる。
本発明の他の局面に従うと、携帯型表示装置の制御方法は、同一の表示領域に、第１の表示方向と第２の表示方向とに互いに異なる画面を同時に表示可能な携帯型表示装置の制御方法であって、第１の画面を表示部の表示領域に第１の表示方向に表示させ、第２の画面を第１の画面を表示した表示領域と同一の表示領域に第２の表示方向に第１の画面と同時に表示させ、第３の画面を第１の画面および第２の画面を表示した表示領域とは異なる表示領域に第１の表示方向および第２の表示方向のいずれからも視認可能に、第１の画面および第２の画面と同時に表示させる。
【手続補正１８】
【補正対象書類名】明細書
【補正対象項目名】００３４
【補正方法】変更
【補正の内容】
【００３４】
また、スリット板５２は、表示制御部４０に制御されることで、背後のデータ表示部５１を前方から透かして見ることのできない閉口部５２１と、背後のデータ表示部５１を前方から透かして見ることのできる幅ｂの開口部５２２とを含んで構成される。閉口部５２１と開口部５２２とは、液晶ディスプレイであるスリット板５２を表示制御部４０が制御することで、閉口部５２１が暗転され、開口部５２２が可透となって構成される。
【手続補正１９】
【補正対象書類名】明細書
【補正対象項目名】００８６
【補正方法】変更
【補正の内容】
【００８６】
さらに、この場合には、携帯電話１００の表示画面データメモリ３０に、図示されない右目画面用メモリと左目画面用メモリとが含まれ、３Ｄ表示が実行される際に、上記の右目画面データと左目画面データとが展開される。そして、表示制御部４０が表示部５０のデータ表示部５１とスリット板５２とを、図２に示す構成と図１４に示す構成とするように切替えて表示部５０を制御することで、上記デュアルビュー表示と３Ｄ表示とが切替えて実現される。
【手続補正２０】
【補正対象書類名】特許請求の範囲
【補正対象項目名】全文
【補正方法】変更
【補正の内容】
【特許請求の範囲】
【請求項１】
同一の表示領域に、第１の表示方向と第２の表示方向とに、互いに異なる画面を同時に表示可能な表示部と、
前記表示部での画面の表示を制御するための表示制御部とを備え、
前記表示制御部は、第１の画面を前記表示部の表示領域に前記第１の表示方向に表示させ、第２の画面を前記第１の画面を表示した前記表示領域と同一の表示領域に前記第２の表示方向に前記第１の画面と同時に表示させ、第３の画面を前記第１の画面および前記第２の画面を表示した前記表示領域とは異なる表示領域に前記第１の表示方向および前記第２の表示方向のいずれからも視認可能に、前記第１の画面および前記第２の画面と同時に表示させる、携帯型表示装置。
【請求項２】
前記表示部における表示形態を、前記第１の画面を前記第１の表示方向に、前記第２の画面を前記第２の表示方向に、前記第３の画面を前記第１の表示方向および前記第２の表示方向のいずれからも視認可能に表示する表示形態と、１つの画面を表示領域内のすべてにいずれの方向にも表示する表示形態とに切替える第１の表示形態切替部をさらに備える、請求項１に記載の携帯型表示装置。
【請求項３】
前記第１の表示形態切替部は、前記表示対象データの属性と、前記表示対象データを表示するためのアプリケーションとのいずれかに応じて、前記表示部における表示形態を切替える、請求項２に記載の携帯型表示装置。
【請求項４】
前記表示制御部は、前記第３の画面に、前記表示部における現在の表示形態を報知する内容を表示させる、請求項２または３に記載の携帯型表示装置。
【請求項５】
同一の表示領域に、第１の表示方向と第２の表示方向とに互いに異なる画面を同時に表示可能な携帯型表示装置の制御方法であって、
第１の画面を前記表示部の表示領域に前記第１の表示方向に表示させ、第２の画面を前記第１の画面を表示した前記表示領域と同一の表示領域に前記第２の表示方向に前記第１の画面と同時に表示させ、第３の画面を前記第１の画面および前記第２の画面を表示した前記表示領域とは異なる表示領域に前記第１の表示方向および前記第２の表示方向のいずれからも視認可能に、前記第１の画面および前記第２の画面と同時に表示させる、携帯型表示装置の制御方法。